(57)【要約】【課題】制御装置本体を塩害から保護して長寿命化を図ることができ、またサーチライトの光が、ライト操作者や船員の視界の妨げになるのを防止できるようにする。【解決手段】完全密閉構造の制御装置本体５と、その上方に位置するサーチライト本体６とを、連結固定板１３を介して一体に連結する。連結固定板１３を、俯仰調節ねじ１４を介して、取付け枠４に俯仰可能に取付ける。制御装置本体５の前面および下面に、放熱用のフィン１２を設ける。サーチライト本体６に、遮光，遮熱兼集光用の円筒状をなすフード２１を取付ける。取付け枠４の下面に、取付けベース２の本体７に立設した垂直旋回軸１０とともに旋回機構２を構成する旋回筒９を取付ける。【選択図】図１
0003111121.tif 000002
【実用新案登録請求の範囲】
【請求項１】
船舶側に着脱可能に取付けられる取付けベースと；この取付けベースに垂直軸廻りに旋回可能な旋回機構を介し着脱可能に取付けられる取付け枠；この取付け枠に俯仰可能に取付けられる制御装置本体およびサーチライト本体と；このサーチライト本体に着脱可能に取付けられ、遮光，遮熱兼集光用の筒状をなすフードと；を備え、前記制御装置本体は、完全密閉構造をなし、かつ外面に冷却用のフィンを有していることを特徴とする海賊防止用サーチライト。
【請求項２】
サーチライト本体は、その光源として、メタルハライドランプが用いられていることを特徴とする請求項１記載の海賊防止用サーチライト。
【請求項３】
フィンは、制御装置本体の前面および下面に設けられていることを特徴とする請求項１または２記載の海賊防止用サーチライト。
【請求項４】
サーチライト本体は、点灯，消灯および点滅の３つの点消灯態様を有していることを特徴とする請求項１，２または３記載の海賊防止用サーチライト。
【考案の詳細な説明】
【技術分野】
【０００１】
本考案は、船舶を襲撃してくる海賊を早期に発見して、海賊被害を未然に防止できるようにするための海賊防止用サーチライトに係り、特に塩害を有効に防止することができる海賊防止用サーチライトに関する。
【背景技術】
【０００２】
従来から、船舶に取付けて甲板上および周辺海面上を照射するようにしたライトは一般に知られている。
【特許文献１】実開昭５３−１６０２８３号公報
【考案の開示】
【考案が解決しようとする課題】
【０００３】
前記従来のライトは、通常の照明を主たる目的としているため、甲板上および周辺海面上を照射する機能しか有していないのが通例である。
【０００４】
ところで、船舶を襲撃してくる海賊が出没するのは、特定の海域に限られるのが通例で、しかも船舶の船尾側や両舷側等、常設のサーチライトでは照射できない方向および範囲から襲撃してくるのが通例である。
【０００５】
このため、海賊防止用サーチライトは、小型で船舶の必要な位置に容易に設置でき、しかも不要な場合には、容易に取外すことができる必要がある。
【０００６】
本考案は、かかる現況に鑑みなされたもので、船舶の必要な位置に容易に設置できるとともに、取外しも容易であり、また制御装置本体を塩害から保護することができるとともに、ライト操作者や船員の視界の妨げになるのを防止することができる海賊用サーチライトを提供することを目的とする。
【０００７】
本考案の他の目的は、強力な光を照射することで、海賊等に対し、本船が厳重に警戒していることを知らしめることができる海賊防止用サーチライトを提供することにある。
【０００８】
本考案の他の目的は、制御装置本体の冷却効率を、開口部を設けたのと同程度まで向上させることができる海賊防止用サーチライトを提供することにある。
【０００９】
本考案のさらに他の目的は、海賊に対し発見したことを明確に報知し、襲撃を早期に諦めさせることができる海賊防止用サーチライトを提供することにある。
【課題を解決するための手段】
【００１０】
前記目的を達成するため本考案は、船舶側に着脱可能に取付けられる取付けベースと；この取付けベースに垂直軸廻りに旋回可能な旋回機構を介し着脱可能に取付けられる取付け枠と；この取付け枠に俯仰可能に取付けられる制御装置本体およびサーチライト本体と；このサーチライト本体に着脱可能に取付けられ、遮光，遮熱兼集光用の筒状をなすフードと；を設け、前記制御装置本体を、完全密閉構造をとし、かつ外面に冷却用のフィンを設けるようにしたことを特徴とする。
【００１１】
本考案はまた、サーチライト本体の光源として、メタルハライドランプを用いるようにしたことを特徴とする。
【００１２】
本考案はまた、フィンを、制御装置本体の前面および下面に設けるようにしたことを特徴とする。
【００１３】
本考案はさらに、サーチライト本体に、点灯，消灯および点滅の３つの点消灯態様を持たせるようにしたことを特徴とする。
【考案の効果】
【００１４】
本考案は、船舶側に着脱可能に取付けられる取付けベースと；この取付けベースに垂直軸廻りに旋回可能な旋回機構を介し着脱可能に取付けられる取付け枠と；この取付け枠に俯仰可能に取付けられる制御装置本体およびサーチライト本体と；このサーチライト本体に着脱可能に取付けられ、遮光，遮熱兼集光用の筒状をなすフードと；を設け、前記制御装置本体を、完全密閉構造とし、かつ外面に冷却用のフィンを設けるようにしているので、船舶への着脱が容易で、船舶の必要な位置に容易に設置でき、また制御装置本体を塩害から保護して長寿命化を図ることができるとともに、ライト操作者や船員の視界の妨げになるのを防止することができる。
【００１５】
本考案はまた、サーチライト本体の光源として、メタルハライドランプを用いるようにしているので、強力な光を照射することができることで、海賊等に対し、本船が厳重に警戒していることを知らしめ、これらの行為を抑止することができる。
【００１６】
本考案はまた、フインを、制御装置の前面および下面に設けるようにしているので、フィンがライト操作の邪魔になることがなく、しかも制御装置本体の冷却効率を、開口部を設けたのと同程度まで向上させることができる。
【００１７】
本考案はさらに、サーチライト本体に、点灯，消灯および点滅の３つの点消灯態様を持たせるようにしいるので、海賊を点灯状態で発見した後に、点滅に切換えることにより、海賊に対し発見したことを明確に報知することができ、結果として襲撃を早期に諦めさせることができる。
【考案を実施するための最良の形態】
【００１８】
以下、本考案を図面を参照して説明する。
図１および図２は、本考案実施の一形態に係る海賊防止用サーチライトを示すもので、このサーチライト１は、船舶側に着脱可能に取付けられる取付けベース２と、この取付けベース２に旋回機構３および取付け枠４を介して取付けられる制御装置本体５およびサーチライト本体６とを備えている。
【００１９】
前記取付けベース２は、図１に示すように、板材をコ字状に折曲げて形成される本体７を備えており、この本体７の下辺には、本体７を船舶側に固定するための締付けボルト８が取付けられ、また前記本体７の上辺には、前記取付け枠４の下面に固設された旋回筒９とともに旋回機構３を構成する垂直旋回軸１０が立設されている。
【００２０】
前記取付け枠４は、図１および図２に示すように、板材を折曲げ加工して溝形状に形成されており、その底辺下面中央部には、前記垂直旋回軸１０に上方から着脱可能に装着される旋回筒９が固設され、この旋回筒９の外面には、前記垂直旋回軸１０の抜け止め溝１０ａに係合される抜け止めねじ１１が設けられている。
【００２１】
一方、前記制御装置本体５は、図１および図２に示すように、安定器その他の制御機器を内蔵して完全密閉構造となっており、その前面および下面には、放熱用の多数のフィン１２が設けられ、完全密閉構造であるにも拘らず、放熱用開口部を設けた場合と同程度の放熱効果を確保できるようになっている。
【００２２】
この制御装置本体５の上方位置には、図１および図２に示すように、前記サーチライト本体６が配置されており、このサーチライト本体６と制御装置本体５とは、サーチライト本体６両側の２枚の連結固定板１３を介して、一体に連結固定されている。そして、これら２枚の連結固定板１３は、図１および図２に示すように、俯仰調節ねじ１４を介して前記取付け枠４に取付けられているとともに、両連結固定板１３間には、サーチライト本体６を跨いで門形状の操作ハンドル１５が取付けられており、前記サーチライト本体６は、俯仰調節ねじ１４を緩めた状態で、操作ハンドル１５を把持して操作することにより、制御装置本体５と一体で、取付け枠に対し俯仰可能となっている。
【００２３】
また、制御装置本体５の上面には、図２に示すように、完全防水構造のスイッチ１６が設けられており、サーチライト本体６は、このスイッチ１６の操作により、点灯，消灯および点滅の３つの点消灯態様が得られるようになっている。そして、点灯状態で海賊船を発見した後、点滅状態に切換えることにより、海賊に対し発見したことを明確に報知することができ、結果として襲撃を早期に諦めさせることができるようになっている。
【００２４】
前記サーチライト本体６は、図２に示すように、目標物の探索等に威力を発揮するショートアーク方式のメタルハライドランプ１７を光源として備えており、その前面には、透明ガラス１９を有する前面蓋１８が着脱ねじ２０を介し着脱可能に取付けられ、この前面蓋１８の前面側には、遮光，遮熱兼集光用の円筒状をなすフード２１が、パチン錠２２を介し着脱可能に取付けられるようになっている。
【００２５】
次に、本実施の形態の作用について説明する。
船舶がマラッカ海峡等、海賊が出没し易い海域に差し掛かったならば、船舶の船尾側や両舷側等にサーチライト１を設置する。そして、サーチライト本体６で海域を照射し、海賊船を発見したならば、サーチライト本体６の点消灯態様を点滅に切換える。これにより、襲撃しようとしている海賊に対し、発見したことを明確に報知することができ、結果として襲撃を早期に諦めさせることができる。
【００２６】
しかして、サーチライト１が船舶に対し着脱可能となっているので、船舶の必要な位置に容易に設置でき、また不要な場合には、容易に取外すことができる。また、制御装置本体５が完全密閉構造となっているので、安定器等の制御機器を塩害から保護して長寿命化を図ることができる。
【００２７】
また、サーチライト本体６は、着脱可能な円筒状のフード２１を備えているので、サーチライト本体６の光が、ライト操作者や船員の視界の妨げとなることを防止することができるとともに、制御装置本体５の温度上昇を抑えることができ、また集光効果を向上させて海賊船を発見し易くすることができる。
【００２８】
なお、前記実施の一形態においては、特に説明しなかったが、サーチライト本体６やフード２１に絞り機構を付加し、海賊船を発見した際に光照射範囲を絞り込んで、海賊に対し発見したことを報知するようにしてもよい。
【００２９】
また、サーチライト１に自動運転機構を付加するとともに、この自動運転機構を、リモコン操作により遠隔操作できるようにし、船内等の安全な場所から操作できるようにしてもよい。そしてその際、サーチライト１の照射動作パターンが、画一的でなく不規則動作パターンとなるようにし、海賊に海域照射位置を予測させ難くすることがより好ましい。
【００３０】
また、船舶の適宜位置に赤外線等のセンサを設け、センサで感知した海域にサーチライト１が向くようにしてもよい。そしてその際、センサと連動する警報装置や放水装置、あるいは蒸気噴射装置を設け、海賊が本船に乗り込もうとした際に、放水装置からの放水や、蒸気噴射装置からの蒸気噴射により、海賊を撃退できるようにしてもよい。
【産業上の利用可能性】
【００３１】
以上のように、本考案に係る海賊防止用サーチライトは、海賊被害を未然に防止するためのサーチライトとして有用であり、特に塩害を防止して装置の長寿命化を図ることができるサーチライトとして適している。
【図面の簡単な説明】
【００３２】
【図１】本考案の実施の一形態に係る海賊防止用サーチライトを示す全体構成図である。
【図２】図１の要部分解部分断面図である。
【符号の説明】
【００３３】
１  サーチライト
２  取付けベース
３  旋回機構
４  取付け枠
５  制御装置本体
６  サーチライト本体
７  本体
８  締付けボルト
９  旋回筒
１０  垂直旋回軸
１１  抜け止めねじ
１２  フィン
１３  連結固定板
１４  俯仰調節ねじ
１５  操作ハンドル
１６  スイッチ
２１  フード
２２  パチン錠
【図１】
0003111121.tif 000003
【図２】
0003111121.tif 000004